(57)【要約】【課題】コネクタ嵌合ストロークが長くなる等の不具合がなく、コネクタ間のガタ付きを防止できるコネクタのロック機構を提供する。【解決手段】第１コネクタ１に、第１コネクタハウジング２に立設された脚部２１と、脚部２１に一端が連結された連結アーム部２２と、連結アーム部２２の他端に中間部が連結され、中間部より一端側に係合孔２４を有し、他端側に解除操作部２５を有するロックアーム２３とを設け、第２コネクタ１０に、第２コネクタハウジング１１に設けられた係合突起部２６と、第２コネクタハウジング１１に設けられ、先端側に係合爪部２８を有するガタ付き防止アーム２７とを設け、嵌合完了位置では、ロックアーム２３の撓み復帰変形によって係合孔２４と係合突起部２６間が係合されると共にガタ付き防止アーム２７の撓み復帰変形によって係合爪部２８が連結アーム部２２に係合される。【選択図】図１
2008097956.tif 000002
【特許請求の範囲】
【請求項１】
コネクタを構成する第１コネクタと第２コネクタとの嵌合状態を保持するコネクタのロック機構において、
前記第１コネクタを構成する第１コネクタハウジングに立設された脚部と、
前記脚部に一端が連結された連結アーム部と、
前記連結アーム部の他端に中間部が連結され、中間部より一端側に第１係合部を有するロックアームと設け、
前記第２コネクタを構成する第２コネクタハウジングに設けられた第１被係合部と、
前記第２コネクタハウジングに設けられ、先端側に第２係合部を有するガタ付き防止アームとを設け、
前記第１コネクタと前記第２コネクタとの嵌合途中過程では、前記ロックアーム及び前記ガタ付き防止アームの撓み変移によって嵌合完了位置への移動が可能とされ、
嵌合完了位置では、前記ロックアームの撓み復帰変形によって前記第１係合部と前記第１被係合部間が係合されると共に、
前記ガタ付き防止アームの撓み復帰変形によって前記第２係合部が前記連結アームに係合されることを特徴とするコネクタのロック機構。
【請求項２】
請求項１記載のコネクタのロック機構であって、
前記連結アーム部は撓み変形可能に構成され、前記各ガタ付き防止アームの前記第２係合部が係合されると、撓み変形によって前記ロックアームを前記第２コネクタハウジング側に変移させることを特徴とするコネクタのロック機構。
【請求項３】
請求項１又は請求項２記載のコネクタのロック機構であって、
前記第１及び第２コネクタの嵌合完了位置にあって、前記第２係合部の前記連結アーム部に係合する面がテーパ面に形成されると共に、前記第１被係合部の係合面とは反対面の少なくとも一部が垂直面に形成されたことを特徴とするコネクタのロック機構。
【請求項４】
請求項３記載のコネクタのロック機構であって、
前記第１被係合部は係合突起部であり、前記係合突起部の係合面とは反対側の面は、下方側が垂直面であり、その上方側が傾斜面であることを特徴とするコネクタのロック機構。
【請求項５】
請求項１〜請求項４のいずれか１項記載のコネクタのロック機構であって、
前記脚部と前記連結アーム部は左右一対設けられていると共に、前記ガタ付き防止アームは左右一対設けられ、コネクタ嵌合完了位置では、前記一対のガタ付き防止アームの第２係合部が前記一対の連結アーム部にそれぞれ係合することを特徴とするコネクタのロック機構。
【請求項６】
請求項５記載のコネクタのロック機構であって、
前記ロックアームは、中間部より他端側に解除操作部を有することを特徴とするコネクタのロック機構。
【発明の詳細な説明】
【技術分野】
【０００１】
本発明は、コネクタ嵌合された第１コネクタと第２コネクタ間をロックするコネクタのロック機構に関する。
【背景技術】
【０００２】
この種のロック機構を備えたコネクタ嵌合構造としては、図１３及び図１４に示す特許文献１に開示されたものがある。図１３及び図１４において、第１コネクタ１００は、内部に多数のメス端子（図示せず）が収容された第１コネクタハウジング１０１を備えている。第２コネクタ１１０は、内部に多数のオス端子１１１が収容された第２コネクタハウジング１１２を備えている。第１及び第２コネクタ１００，１１０がコネクタ嵌合されると、互いに対応するメス端子（図示せず）とオス端子１１１同士が接続されるようになっている。
【０００３】
又、第１及び第２コネクタ１００，１１０には、コネクタ嵌合状態をロックするためのロック機構１２０が設けられている。
【０００４】
ロック機構１２０は、第１コネクタ１００側に、第１コネクタハウジング１０１に基端側が固定され、係合突起部１２１ａを有するロックアーム１２１と、第１コネクタハウジング１０１の嵌合先端側に弾性吸収孔１２２によって形成された弾性変移部１２３とを備えている。又、ロック機構１２０は、第２コネクタ１１０側に、第２コネクタハウジング１１２に設けられた被係合孔１２４と、第２コネクタハウジング１１２の内壁に設けられた押圧部１２５とを備えている。
【０００５】
上記構成において、図１３に示す離間状態の第１コネクタ１００と第２コネクタ１１０を嵌合するには、第１コネクタ１００の第１コネクタハウジング１０１を第２コネクタ１１０の第２コネクタハウジング１１２内に挿入する。すると、ロックアーム１２１の係合突起部１２１ａが第２コネクタハウジング１１２に当接し、この状態より更に挿入力を加えると、ロックアーム１２１が下方に撓み変形して挿入が許容される。第１コネクタ１００と第２コネクタ１１０が嵌合完了位置まで嵌合されると、ロックアーム１２１が撓み復帰変形して係合突起部１２１ａが被係合孔１２４に係合される。これによって、図１４に示すように、第１コネクタ１００と第２コネクタ１１０間がロック機構１２０によってロックされる。
【０００６】
第１コネクタ１００と第２コネクタ１１０の嵌合を解除するには、ロックアーム１２１の解除操作部１２１ｂを押下する。すると、ロックアーム１２１が基端側を支点として撓み変形し係合突起部１２１ａが下方に変移することによって被係合孔１２４より離脱する。解除操作部１２１ｂを押下しながら第１コネクタ１００と第２コネクタ１１０間を引き離すことによって第１コネクタ１００と第２コネクタ１１０間を離間させることができる。
【０００７】
コネクタ嵌合状態にあっては、第２コネクタ１１０側の押圧部１２５が第１コネクタ１００側の弾性変移部１２３を押圧し、この押圧力によって係合突起部１２１ａが被係合孔１２４の端面を常時押圧する。従って、係合突起部１２１ａと被係合孔１２４間は隙間なく係合され、これによって第１及び第２コネクタ１００，１１０間のガタ付きが防止される。
【特許文献１】特開２００１−５７２６９号公報
【発明の開示】
【発明が解決しようとする課題】
【０００８】
しかしながら、前記従来のコネクタのロック機構１２０では、コネクタ嵌合作業時には第１コネクタ１００の第１コネクタハウジング１０１の挿入先端面１０１ａが第２コネクタ１１０の第２コネクタハウジング１１２の内壁面１１２ａに当接するまで挿入しなければならないため、コネクタ嵌合ストロークが長くなるという問題がある。又、コネクタ嵌合時にあって、押圧部１２５からの押圧力によって第１コネクタ１００の弾性変移部１２３が弾性変形するが、その変形状態が不安定であり、これによってメス端子（図示せず）とオス端子１１１間の接触も安定しないという問題がある。
【０００９】
そこで、本発明は、前記した課題を解決すべくなされたものであり、上述した種々の不具合がなくコネクタ間のガタ付きを防止できるコネクタのロック機構を提供することを目的とする。
【課題を解決するための手段】
【００１０】
請求項１の発明は、コネクタを構成する第１コネクタと第２コネクタとの嵌合状態を保持するコネクタのロック機構において、前記第１コネクタを構成する第１コネクタハウジングに立設された脚部と、前記脚部に一端が連結された連結アーム部と、前記連結アーム部の他端に中間部が連結され、中間部より一端側に第１係合部を有するロックアームと設け、前記第２コネクタを構成する第２コネクタハウジングに設けられた第１被係合部と、前記第２コネクタハウジングに設けられ、先端側に第２係合部を有するガタ付き防止アームとを設け、前記第１コネクタと前記第２コネクタとの嵌合途中過程では、前記ロックアーム及び前記ガタ付き防止アームの撓み変移によって嵌合完了位置への移動が可能とされ、嵌合完了位置では、前記ロックアームの撓み復帰変形によって前記第１係合部と前記第１被係合部間が係合されると共に、前記ガタ付き防止アームの撓み復帰変形によって前記第２係合部が前記連結アームに係合されることを特徴とする。
【００１１】
請求項２の発明は、請求項１記載のコネクタのロック機構であって、前記連結アーム部は撓み変形可能に構成され、前記各ガタ付き防止アームの前記第２係合部が係合されると、撓み変形によって前記ロックアームを前記第２コネクタハウジング側に変移させることを特徴とする。
【００１２】
請求項３の発明は、請求項１又は請求項２記載のコネクタのロック機構であって、前記第１及び第２コネクタの嵌合完了位置にあって、前記第２係合部の前記連結アーム部に係合する面がテーパ面に形成されると共に、前記第１被係合部の係合面とは反対面の少なくとも一部が垂直面に形成されたことを特徴とする。
【００１３】
請求項４の発明は、請求項３記載のコネクタのロック機構であって、前記第１被係合部は係合突起部であり、前記係合突起部の係合面とは反対側の面は、下方側が垂直面であり、その上方側が傾斜面であることを特徴とする。
【００１４】
請求項５の発明は、請求項１〜請求項４のいずれか１項記載のコネクタのロック機構であって、前記脚部と前記連結アーム部は左右一対設けられていると共に、前記ガタ付き防止アームは左右一対設けられ、コネクタ嵌合完了位置では、前記一対のガタ付き防止アームの第２係合部が前記一対の連結アーム部にそれぞれ係合することを特徴とする。
【００１５】
請求項６の発明は、請求項５記載のコネクタのロック機構であって、前記ロックアームは、中間部より他端側に解除操作部を有することを特徴とする。
【発明の効果】
【００１６】
請求項１の発明によれば、ロックアームの第１係合部と第１被係合部間のガタ付きがガタ付き防止アームの第２係合部と第２被係合部間の係合によって阻止されるため、第１及び第２コネクタ間のガタ付きを防止できる。そして、従来例のように押圧部と弾性変位部を有さないため、コネクタ嵌合ストロークを長くする必要がなく、又、双方のコネクタハウジングに不安定な変形をする箇所がないことから端子間の接触が不安定化することがない。
【００１７】
また、第１及び第２コネクタ間は、ロックアーム側とガタ付き防止アーム側の２箇所によって２重ロックされるため、ロック保持力が向上する。
【００１８】
請求項２の発明によれば、コネクタ嵌合時には、ロックアームの第１係合部が第１被係合部に深く係合することになるため、よりガタ付きを防止できる。
【００１９】
請求項３の発明によれば、コネクタ嵌合時には、第２係合部のテーパ面によって第１及び第２コネクタにはそれぞれコネクタ嵌合方向に付勢する押圧力が作用し、このコネクタ嵌合方向の押圧力を第１係合部と第１被係合部が確実に受けるため、更に確実にガタ付きを防止できる。
【００２０】
請求項４の発明によれば、コネクタ嵌合途中過程ではロックアームが係合突起部の傾斜面によってスムーズに係合突起部を乗り越えることができ、コネクタ嵌合時にはコネクタ嵌合方向の押圧力を第１係合部と係合突起部の垂直面とによって確実に受けることができる。
【００２１】
請求項５の発明によれば、ロックアームが左右に偏向することなく撓み変形するため、第１係合部と第１被係合部間が確実に係合する。
【００２２】
請求項６の発明によれば、解除操作部を押下すると、ロックアームが中間部を支点として揺動変移することによってロックアームの第１係合部と第１被係合部間の係合が解除されると共に、一対の連結アーム部が下方に変移して各ガタ付き防止アームの第２係合部との係合が解除される方向に変移する。従って、２重ロックを同時にほぼ解除することができ、解除操作性が良い。
【発明を実施するための最良の形態】
【００２３】
以下、本発明の実施形態を図面に基づいて説明する。図１〜図７は本発明の第１実施形態を示し、図１は第１及び第２コネクタの嵌合前の要部斜視図、図２は第１及び第２コネクタの嵌合前の平面図、図３は図２のＡ−Ａ線断面図、図４は第１及び第２コネクタの嵌合途中過程の平面図、図５は図４のＢ−Ｂ線断面図、図６は第１コネクタ及び第２コネクタの嵌合状態の平面図、図７は図６のＣ−Ｃ線断面図である。
【００２４】
図１〜図７において、第１コネクタ１は、内部に多数の例えばオス端子（図示せず）が収容された第１コネクタハウジング２を備えている。第２コネクタ１０は、内部に多数のメス端子（図示せず）が収容された第２コネクタハウジング１１を備えている。第１及び第２コネクタ１，１０がコネクタ嵌合されると、互いに対応するメス端子（図示せず）とオス端子１１１同士が接続されるようになっている。
【００２５】
又、第１及び第２コネクタ１，１０には、コネクタ嵌合状態をロックするためのロック機構２０が設けられている。
【００２６】
ロック機構２０は、第１コネクタ１を構成する第１コネクタハウジング２に間隔を置いて配置された一対の脚部２１，２１と、各脚部２１，２１に一端が連結された一対の連結アーム部２２，２２と、各連結アーム部２２，２２の他端に中間部が連結されたロックアーム２３とを備えている。
【００２７】
各脚部２１，２１は、コネクタ嵌合方向のほぼ直交方向に沿って配置されている。各連結アーム部２２，２２は、コネクタ嵌合方向に延びる部分とコネクタ嵌合方向の直交方向に延びる部分からＬ字状を有している。各連結アーム部２２，２２は、各脚部２１，２１に一端が固定された片持ち構造であり、他端側を下方に変位するよう上下方向に撓み変形自在に構成されている。ロックアーム２３は、コネクタ嵌合方向に沿って配置され、一対の連結アーム部２２，２２で支持された中間部より一端側に第１係合部である係合孔２４を有し、昼間部より他端側に解除操作部２５を有する。
【００２８】
又、ロック機構２０は、第２コネクタ１０を構成する第２コネクタハウジング１１の上面に突設された第１被係合部である係合突起部２６と、第２コネクタハウジング１１の上面で、係合突起部２６の両側に立設された一対のガタ付き防止アーム２７，２７とを備えている。係合突起部２６は、コネクタ嵌合時にはロックアーム２３の係合孔２４に係合される。係合突起部２６の係合面（コネクタ離脱方向の変移によって係合孔２４の端面に当接する面）は垂直面２６ａに形成されている。係合面とは反対側の面（コネクタ嵌合途中過程でロックアーム２３の先端が突き当たる面、コネクタ嵌合方向の変移によって係合孔２４の端面が当接する面）は、傾斜面２４ｂに形成されている。
【００２９】
各ガタ付き防止アーム２７，２７は、コネクタ嵌合方向に沿って配置され、その先端側に第２係合部である係合爪部２８，２８をそれぞれ有する。各係合爪部２８，２８は、コネクタ嵌合時には各連結アーム部２２，２２に係合される。各係合爪部２８，２８の係合面は、テーパ面２８ａ，２８ａに形成されている。又、各係合爪部２８，２８の先端面（コネクタ嵌合途中過程で連結アーム部２２，２２に突き当たる面）もテーパ面２８ｂ，２８ｂに形成されている。
【００３０】
上記構成において、図２及び図３の状態にあって第１コネクタ１と第２コネクタ１０を嵌合するには、第１コネクタ１の第１コネクタハウジング２内に第２コネクタ１０の第２コネクタハウジング１１を挿入する。すると、ロックアーム２３の先端が係合突起部２６の傾斜面２６ｂに当接すると共に一対のガタ付き防止アーム２７，２７の係合爪部２８，２８の先端が一対の連結アーム部２２，２２に当接する。この状態より更に挿入力を加えると、図４及び図５に示すように、ロックアーム２３が上方に撓み変形すると共に一対のガタ付き防止アーム２７，２７が上方に撓み変形して挿入が許容される。第１コネクタ１００と第２コネクタ１１０が嵌合完了位置まで嵌合されると、図６及び図７に示すように、ロックアーム２３が撓み復帰変形してロックアーム２３の係合孔２４に係合突起部２６が係合されると共に一対のガタ付き防止アーム２７，２７が下方に撓み復帰変形して各係合爪部２８，２８が各連結アーム部２２，２２に係合される。これによって、第１コネクタ１と第２コネクタ１０間がロック機構２０によって２重にロックされる。
【００３１】
第１コネクタ１と第２コネクタ１０の嵌合を解除するには、ロックアーム２３の解除操作部２５を押下する。すると、ロックアーム２３が中間部を支点として揺動変移して係合孔２４より係合突起部２６が離脱する。又、解除操作部２５の押下操作によって一対の連結アーム部２２，２２が下方に撓み変移し一対のガタ付き防止アーム２７，２７の係合爪部２８，２８と各連結アーム部２２，２２間の係合が解除され、若しくは、係合が緩くなる。解除操作部２５を押下しながら第１コネクタ１と第２コネクタ１０間を引き離すことによって、ロックアーム２３の係合孔２４側と一対のガタ付き防止アーム２７，２７の係合爪部２８，２８側からの係合力をほとんど受けることなく第１コネクタ１と第２コネクタ１０間を離間させることができる。
【００３２】
以上、上記したロック機構２０によれば、コネクタ嵌合時には、ロックアーム２３の係合孔２４と係合突起部２６間のガタ付きが一対のガタ付き防止アーム２７，２７の係合爪部２８，２８と連結アーム部２２，２２間の係合によって阻止されるため、第１及び第２コネクタ１，１０間のガタ付きを防止できる。そして、従来例のように押圧部と弾性変位部を有さないため、コネクタ嵌合ストロークを長くする必要がなく、又、双方のコネクタハウジング２，１１に不安定な変形をする箇所がないことから端子間の接触が安定化する。
【００３３】
また、第１及び第２コネクタ１，１０間は、ロックアーム２３側とガタ付き防止アーム２７，２７側の２箇所によって２重ロックされるため、ロック保持力が向上する。
【００３４】
この第１実施形態では、一対の連結アーム部２２，２２は、撓み変形可能に構成され、各ガタ付き防止アーム２７，２７の係合爪部２８，２８が係合されると、図７に示すように、撓み変形によってロックアーム２３が第１コネクタハウジング２側に変移する。従って、コネクタ嵌合時には、ロックアーム２３の係合孔２４が係合突起部２６に深く係合することになるため、よりガタ付きを防止できる。
【００３５】
この第１実施形態では、脚部２１，２１と連結アーム部２２，２２は左右一対設けられていると共に、ガタ付き防止アーム２７，２７も左右一対設けられ、コネクタ嵌合完了位置では、一対のガタ付き防止アーム２７，２７の係合爪部２８，２８が一対の連結アーム部２２，２２にそれぞれ係合するよう構成されている。従って、ロックアーム２３が左右に偏向することなく撓み変形するため、係合孔２４と係合突起部２６間が確実に係合する。
【００３６】
この第１実施形態では、ロックアームは、中間部より他端側に解除操作部２５を有する。従って、解除操作部２５を押下すると、ロックアーム２３が中間部を支点として揺動変移することによってロックアーム２３の係合孔２４と係合突起部２６間の係合が解除されると共に、一対の連結アーム部２２，２２が下方に変移して各ガタ付き防止アーム２７，２７の係合爪部２８，２８との係合が解除される方向に変移する。従って、２重ロックを同時にほぼ解除することができ、解除操作性が良い。
【００３７】
図８は第１被係合部である係合突起部の変形例の断面図である。この変形例の係合突起部２６Ａは、コネクタ嵌合時にロックアーム２３の係合孔２４の端面に当接する面が垂直面２６ａとして形成されていると共にその反対面が傾斜面２６ｂと垂直面２６ｃとして形成されている。
【００３８】
つまり、図１０に示すように、第１及び第２コネクタ１，１０の嵌合完了位置にあって、係合爪部２８，２８の連結アーム部２２，２２に係合する面がテーパ面２８ａ，２８ａに形成されていると共に、係合突起部２６の係合面とは反対面の一部が垂直面２６ｃに形成されている。従って、コネクタ嵌合時には、係合爪部２８，２８のテーパ面２８ａ，２８ａによって第１及び第２コネクタ１，１０にはそれぞれコネクタ嵌合方向に付勢する押圧力Ｆ１（第１コネクタ１側），Ｆ２（第２コネクタ１０側）が作用し、このコネクタ嵌合方向の押圧力Ｆ１，Ｆ２を係合孔２４の端面と係合突起部２６の垂直面２６ｃが確実に受けるため、更に確実にガタ付きを防止できる。
【００３９】
又、係合突起部２６の係合面とは反対側の面は、下方側が垂直面２６ｃに、その上方側が傾斜面２６ｂに形成されている。従って、コネクタ嵌合途中過程ではロックアーム２３が係合突起部２６の傾斜面２６ｂによってスムーズに係合突起部２６を乗り越えることができ、コネクタ嵌合時にはコネクタ嵌合方向の押圧力を係合孔２４と係合突起部２６の垂直面２６ｃとによって確実に受けることができる。
【００４０】
図１０はロックアームの変形例の正面図である。図１０に示すように、ロックアーム２３の先端面の下側が傾斜面２３ａに形成されている。
【００４１】
この変形例によれば、ロックアームの２３ａの先端が傾斜面２３ａであるため、ロックアーム２３が係合突起部２６をスムーズに乗り越えることができる。又、ロックアーム２３の先端面の下側をアール形状面に形成しても同様の効果が得られる。
【００４２】
図１１及び図１２は本発明の第２実施形態を示し、図１１は第１及び第２コネクタの嵌合前の要部斜視図、図１２は第１及び第２コネクタの嵌合状態の平面図である。
【００４３】
図１１及び図１２に示すように、この第２実施形態のロック機構２０Ａでは、一対の脚部２１Ａ，２１Ａがコネクタ嵌合方向に沿って配置されており、各脚部２１Ａ，２１Ａとロックアーム２３間を連結する一対の連結アーム部２２Ａ，２２Ａがストレートな形状に形成されている。
【００４４】
他の構成は、前記第１実施形態と同一であるため、同一構成箇所に同一符号を付してその説明を省略する。
【００４５】
この第２実施形態においても、前記第１実施形態と同様の作用・効果が得られる。
【００４６】
尚、第１及び第２実施形態では、第１コネクタ１の第１コネクタハウジング２がメス型であり、第２コネクタ１０の第２コネクタハウジング１１がオス型であり、メス型の第１コネクタハウジング２にロックアーム２３側が、オス型の第２コネクタハウジング１１に一対のガタ付き防止アーム２７，２７側が配置されているが、これらの配置関係が逆であっても良いことはもちろんである。
【００４７】
尚、第１及び第２実施形態では、ロックアーム２３の第１係合部は係合孔２４で、第１被係合部が係合突起部２６であるが、第１係合部が係合突起部で、第１被係合部が係合孔であっても良く、又、互いに係合できる構成であればその以外の構成であっても良いことはもちろんである。
【図面の簡単な説明】
【００４８】
【図１】本発明の第１実施形態を示し、第１及び第２コネクタの嵌合前の要部斜視図である。
【図２】本発明の第１実施形態を示し、第１及び第２コネクタの嵌合前の平面図である。
【図３】本発明の第１実施形態を示し、図２のＡ−Ａ線断面図である。
【図４】本発明の第１実施形態を示し、第１及び第２コネクタの嵌合途中過程の平面図である。
【図５】本発明の第１実施形態を示し、図４のＢ−Ｂ線断面図である。
【図６】本発明の第１実施形態を示し、第１コネクタ及び第２コネクタの嵌合状態の平面図である。
【図７】本発明の第１実施形態を示し、図６のＣ−Ｃ線断面図である。
【図８】係合突起部の変形例の断面図である。
【図９】変形例の係合突起部を適用したロック機構のコネクタ嵌合時の断面図である。
【図１０】ロックアームの変形例の正面図である。
【図１１】本発明の第２実施形態を示し、第１及び第２コネクタの嵌合前の要部斜視図である。
【図１２】本発明の第２実施形態を示し、第１及び第２コネクタの嵌合状態の平面図である。
【図１３】従来例の第１及び第２コネクタの嵌合前の断面図である。
【図１４】従来例の第１及び第２コネクタの嵌合状態の断面図である。
【符号の説明】
【００４９】
１  第１コネクタ
２  コネクタハウジング
１０  第２コネクタ
１１  コネクタハウジング
２０，２０Ａ  ロック機構
２１，２１Ａ  脚部
２２，２２Ａ  連結アーム部
２３  ロックアーム
２４  係合孔（第１係合部）
２５  解除操作部
２６，２６Ａ  係合突起部（第１被係合部）
２６ｂ  垂直面
２６ｃ  垂直面
２７  ガタ付き防止アーム
２８  係合爪部
２８ａ  テーパ面
【図１】
2008097956.tif 000003
【図２】
2008097956.tif 000004
【図３】
2008097956.tif 000005
【図４】
2008097956.tif 000006
【図５】
2008097956.tif 000007
【図６】
2008097956.tif 000008
【図７】
2008097956.tif 000009
【図８】
2008097956.tif 000010
【図９】
2008097956.tif 000011
【図１０】
2008097956.tif 000012
【図１１】
2008097956.tif 000013
【図１２】
2008097956.tif 000014
【図１３】
2008097956.tif 000015
【図１４】
2008097956.tif 000016